(57)【特許請求の範囲】
【請求項１】
トンネル覆工用セグメントであって、該セグメントはその円周方向の両端面のうち、片方の端面に継手金具を固設し、且つ、該継手金具は上下二段にボルト孔が開設されており、更に、該継手金具の背面は前記ボルト孔にボルトを挿通して緊締操作を為すための箱抜きが設けられており、更に、他方の端面に前記ボルト孔に対峙して開口する袋ネジ部を有して上下二段に配設されたインサートが埋設されて成り、之等のセグメントがトンネルの円周方向に連設されて結合するとき、前記箱抜きを介して継手金具に上下二段に設けて各ボルト孔よりボルトを挿入し、隣接するセグメントの端面に開口している前記上下二段に配設した各袋ネジに該ボルトを螺着して双方のセグメントを緊諦するように構成されたセグメントの継手構造であって、前記インサートは異型鉄筋にて構成され、且つ、上下の各インサートは繋ぎ鋼板にて溶接結合されると共に、異型鉄筋にて形成したＵ字状のアンカー筋を一体的に溶接して成るセグメントの継手構造に於いて、
上記セグメントの継手構造は、かぶりの少ない内径面側のインサートに異型鉄筋にて形成されたＵ字状のアンカー筋の折曲部を該インサートの下面より上方に釣り上げるように当接し、その両側片を外径面側インサートの両側部を通過して上方斜め奥方向へ延設して前記折曲部を前記内径面側インサートに一体的に溶接して成ることを特徴とするセグメントの継手構造。
【発明の詳細な説明】
【０００１】
【発明の属する技術分野】
この発明は、セグメントの継手構造に関するものであり、特に、袋ネジを有するインサートの耐力及び剛性を向上させたセグメントの継手構造に関するものである。
【０００２】
【従来の技術】
従来の此種セグメントの継手構造として用いられているものは、片方のセグメントからボルトにて締結せらるべき隣接のセグメント端面に開口している袋ネジを有する上下二段のインサートは、主として夫々独立してコンクリートに埋め込まれた構造となっている。
【０００３】
【発明が解決しようとする課題】
上記従来例は、上下のインサートが継手面のせん断力に対して夫々独立して抵抗するために、かぶりの少ない内径面側インサートの抵抗力が小であり、更に、継手面の引張力に対しても各インサートは夫々独立して抵抗するために引張耐力も小さくなる。
【０００４】
そこで、セグメントの継手構造に於て、特に、インサートの耐力と剛性を向上させるために解決せらるべき技術的課題が生じてくるのであり、本発明は該課題を解決することを目的とする。
【０００５】
【課題を解決するための手段】
本発明は上記目的を達成するために提案せられたものであり、トンネル覆工用セグメントであって、該セグメントはその円周方向の両端面のうち、片方の端面に継手金具を固設し、且つ、該継手金具は上下二段にボルト孔が開設されており、更に、該継手金具の背面は前記ボルト孔にボルトを挿通して緊締操作を為すための箱抜きが設けられており、更に、他方の端面に前記ボルト孔に対峙して開口する袋ネジ部を有して上下二段に配設されたインサートが埋設されて成り、之等のセグメントがトンネルの円周方向に連設されて結合するとき、前記箱抜きを介して継手金具に上下二段に設けて各ボルト孔よりボルトを挿入し、隣接するセグメントの端面に開口している前記上下二段に配設した各袋ネジに該ボルトを螺着して双方のセグメントを緊諦するように構成されたセグメントの継手構造であって、前記インサートは異型鉄筋にて構成され、且つ、上下の各インサートは繋ぎ鋼板にて溶接結合されると共に、異型鉄筋にて形成したＵ字状のアンカー筋を一体的に溶接して成るセグメントの継手構造に於いて、
上記セグメントの継手構造は、かぶりの少ない内径面側のインサートに異型鉄筋にて形成されたＵ字状のアンカー筋の折曲部を該インサートの下面より上方に釣り上げるように当接し、その両側片を外径面側インサートの両側部を通過して上方斜め奥方向へ延設して前記折曲部を前記内径面側インサートに一体的に溶接して成るセグメントの継手構造を提供するものである。
【０００６】
【発明の実施の形態】
以下、本発明の実施の形態を図１乃至図７に従って詳述する。図１に於て１はセグメントである。該セグメント１は円周方向の片方の端面には継手金具２が固設されている。而して、該継手金具２は中央部上下にボルト孔３，３が開設されており、更に、該継手金具２の背面は該ボルト孔３，３にボルト４，４を挿入してボルト締め操作をするための箱抜部５が設けられている。
【０００７】
一方、該セグメント１に隣接して該セグメントと連結されるべき他のセグメント１には該継手金具２に設けたボルト孔３，３と対峙する位置に開口した袋ネジ部６，６を有して上下に配設されたインサート７，７が埋設されている。
【０００８】
而して、該インサート７は異型鉄筋にて構成されて、該セグメント１の端面から奥方向へ上下二段に平行に埋設されている。
更に、該インサート７の一実施の形態を図２及び図３に従って説明する。図に於てセグメント１の内径面側（下部）のインサート７と外径面側（上部）のインサート７とは、夫々後端部位及び前方部位に於て繋ぎ鋼板８，８を該インサート７，７の長手方向に平行に介装し、そして溶接されて一体的に結合される。而も、前記内径面側のインサート７には双方のセグメント１，１の接続面に近い位置で異型鉄筋にて形成されたＵ字状鉄筋９の折曲部９ａを該インサート７の下面より上方へ釣り上げるように当接して、その両側片９ｂ，９ｂを外径面側インサート７の両側部を通過して上方斜め奥方向へ延設し、且つ、前記折曲部９ａを該インサート７に溶接して一体的に結合し、コンクリート内に埋設する。
【０００９】
次に、他の一実施の形態を図４及び図５に従って説明する。この実施の形態が図２及び図３に示す前記実施の形態と異なるところは、前記繋ぎ鋼板８は前記上下のインサート７，７の後端部位に溶接されており、そして、前端部側に於て、前記Ｕ字状鉄筋９の外、他のＵ字状鉄筋９の折曲部９ａを外径面側インサート７の上面に係止し、そして、その両側片９ｂ，９ｂを内径面側インサート７の両側面部位近傍の斜め奥方向へ延設し、且つ、双方のＵ字状鉄筋９，９の接触部を溶接している点が異なり、その余の点は前記の実施の形態と同一である。
【００１０】
更に他の実施の形態を図６及び図７に従って説明する。この実施の形態が図２及び図３に示す実施の形態と異なる点は、繋ぎ鋼板８，８に代え上下双方のインサート７，７の後端面に上下のインサート７，７を繋ぐ役目も有する鋼板１０を溶接した点である。その余の構成は図２及び図３に示す実施の形態と全く同一である。而して、前記鋼板１０は上下双方のインサート７，７に対して板面を直角にして溶接されており、且つ、該上下双方のインサート７，７の両側方へ大きく張り出すことができるように矩形状の板状体にて構成され、そして、各インサート７，７の引張耐力をより向上させると共にインサート７，７自体の長さを可及的に短かくすることもできるように形成されている。
【００１１】
次に、図２及び図３に示す実施の形態を用いてセグメント１を円周方向に結合する状態について、図１に従って説明する。図に於て左側のセグメント１に取付けられている継手金具２に設けたボルト孔３，３に箱抜き部５を介してボルト４，４を挿入し、そして、該ボルト４，４の先端部を隣接する他方のセグメント１に取付けられているインサート７，７の袋ネジ部６，６の開口部から螺入して該ボルト４，４を該インサート７，７に緊締し、そして、双方のセグメント１，１を結合するのである。このとき、セグメント１のコンクリートに埋設されている上下のインサート７，７及びＵ字状鉄筋９は夫々異型鉄筋にて構成されているのでコンクリートの喰い込みが強固であり、更に、該上下のインサート７，７は該Ｕ字状鉄筋９及び繋ぎ鋼板８又は鋼板１０によって全体を溶接によって一体的に結合されるので、上下のインサート７，７は引張抵抗が増大し、且つ、集中応力が極めて効果的に分散するためにせん断力に対する抵抗力も増大し、大なる耐力と剛性が得られることになる。
【００１２】
尚、本発明は、本発明の精神を逸脱しない限り種々の改変を為すことができ、そして、本発明が該改変されたものに及ぶことは当然である。
【００１３】
【発明の効果】
本発明は上記一実施の形態に詳述せる如く、上下のインサート及び該インサートに溶接にて一体的に結合されているＵ字状鉄筋は何れも異型鉄筋にて構成されているので、セグメントのコンクリートの喰い込みが大であり、更に、該上下のインサートは繋ぎ鋼板によって溶接にて一体的に結合されているので、前記Ｕ字状鉄筋と相俟って上下のインサートが一体構造となり、依って、ボルトの引張力やせん断力に対して上下のインサートが協同して抵抗することになり、集中応力は分散し、セグメントの継手構造が簡単な補強によってその耐力及び剛性が大幅に向上する。
更に、抵抗力の小さい、かぶりの少ない内径面側のインサートは繋ぎ鋼板で結合される外、Ｕ字状のアンカー鉄筋がその折曲部を該インサートの下面より上方に釣り上げるように当接し、その両側片を外径面側インサートの両側部を通過して上方斜め奥方向へ延設して前記折曲部を該インサートに一体的に溶接したから該インサートは引張抵抗が増大し、且つ、集中応力が極めて効果的に分散するためにせん断力に対する抵抗力も増大する等、正に著大なる効果を奏する発明である。
【図面の簡単な説明】
【図１】セグメントを円周方向にて結合する状態を示す一部切欠縦断正面図。
【図２】上下二段に設けたインサートの一実施の形態を示し、その正面図。
【図３】図２の側面図。
【図４】上下二段に設けたインサートの他の実施の形態を示す正面図。
【図５】図４の側面図。
【図６】上下二段に設けたインサートの更に他の実施の形態を示す正面図。
【図７】図６の側面図。
【符号の説明】
１          セグメント
２          継手金具
３          ボルト孔
４          ボルト
５          箱抜き部
６          袋ネジ部
７          インサート
８          繋ぎ鋼板
９          Ｕ字状鉄筋
１０          鋼板
【図１】
0003625568.tif 000002
【図２】
0003625568.tif 000003
【図３】
0003625568.tif 000004
【図４】
0003625568.tif 000005
【図５】
0003625568.tif 000006
【図６】
0003625568.tif 000007
【図７】
0003625568.tif 000008